(57)【要約】本発明は、ＤＭシステム及びそのシステムにおける設定値セット方法に関する。前記ＤＭシステムは、端末の所定リソースに対する設定値を生成し、ＤＭセッションを介して前記生成された設定値及び再設定パラメータを前記端末に伝送し、前記端末に前記設定値のセットを要求するサーバと、前記設定値及び再設定パラメータを受信し、前記受信した再設定パラメータによって前記設定値を前記リソースにセットし、前記設定値に応じて動作する端末とを含む。その結果、前記サーバは、設定値を生成して前記端末に伝送することができ、前記端末は前記サーバから受信した前記設定値を直ちに適用することができる。
2008541549.tif 000002
【特許請求の範囲】
【請求項１】
所定リソースに対する設定値及び再設定パラメータをサーバから受信する段階と、
前記再設定パラメータを認知する段階と、
前記再設定パラメータの認知に応じて前記設定値をセットし、機能を行う段階と
を含むことを特徴とする端末における設定値セット方法。
【請求項２】
端末のリソースをツリー形態で前記サーバに提供する段階をさらに含み、
ここで、前記サーバは、前記ツリーにより前記所定リソースを認知し、前記設定値を生成し、前記設定値を前記端末に伝送することを特徴とする請求項１に記載の端末における設定値セット方法。
【請求項３】
前記受信段階では、
装置管理命令を前記サーバからさらに受信することを特徴とする請求項１に記載の端末における設定値セット方法。
【請求項４】
前記装置管理命令は、
前記設定値のセットのためのＡＤＤ、ＤＥＬＥＴＥ、及びＲＥＰＬＡＣＥ命令の少なくとも１つであることを特徴とする請求項３に記載の端末における設定値セット方法。
【請求項５】
前記装置管理命令は、
前記再設定パラメータの認知のためのＥＸＥＣ命令であることを特徴とする請求項３に記載の端末における設定値セット方法。
【請求項６】
前記受信段階では、
前記装置管理命令の実行のための条件をさらに受信し、
ここで、前記設定値、前記再設定パラメータ、前記装置管理命令、及び前記条件は、スケジューリングコンテクスト内に含まれて受信されることを特徴とする請求項３に記載の端末における設定値セット方法。
【請求項７】
前記認知段階は、
前記スケジューリングコンテクスト内の前記条件をモニタリングする段階と、モニタリングにより前記条件のマッチングが取れた場合、前記装置管理命令を実行して前記再設定パラメータを認知する段階とを含むことを特徴とする請求項６に記載の端末における設定値セット方法。
【請求項８】
所定リソースに対する設定値及び再設定パラメータをサーバから受信する第１モジュールと、
前記再設定パラメータを認知するように装置管理命令を実行する第２モジュールと、
前記再設定パラメータの認知に応じて前記設定値を前記リソースにセットし、機能を行う第３モジュールと
を含むことを特徴とする端末。
【請求項９】
端末のリソースをツリー形態で前記サーバに提供することにより、前記サーバが前記ツリーにより前記所定リソースを認知し、前記設定値を伝送できるようにすることを特徴とする請求項８に記載の端末。
【請求項１０】
前記第１モジュールは、前記設定値、前記再設定パラメータ、装置管理命令、及び前記装置管理命令の実行のための条件を含むスケジューリングコンテクストを受信することを特徴とする請求項８に記載の端末。
【請求項１１】
前記端末は、前記スケジューリングコンテクスト内の前記装置管理命令の実行条件をモニタリングするモジュールをさらに含み、
ここで、前記第２モジュールは、前記モニタリングモジュールにより前記実行条件のマッチングが確認された場合、前記装置管理命令を実行することを特徴とする請求項１０に記載の端末。
【請求項１２】
サーバが端末の所定リソースに対する設定値を生成する段階と、
前記サーバが前記生成された設定値及び再設定パラメータを装置管理セッションを介して前記端末に伝送する段階と、
前記端末が前記設定値及び再設定パラメータを受信する段階と、
前記端末が前記再設定パラメータを認知する段階と、
前記設定値をセットして前記端末を動作させる段階と
を含むことを特徴とするシステムにおける設定値セット方法。
【請求項１３】
前記端末が端末のリソースをツリー形態で前記サーバに提供する段階をさらに含み、
ここで、前記生成段階では、前記サーバが前記ツリーにより前記所定リソースを認知し、前記設定値を生成することを特徴とする請求項１２に記載のシステムにおける設定値セット方法。
【請求項１４】
前記伝送段階では、
装置管理命令及び前記装置管理命令の実行のための条件がさらに伝送され、
ここで、前記設定値、前記再設定パラメータ、前記装置管理命令、及び前記条件は、スケジューリングコンテクスト内に含まれて前記端末に伝送されることを特徴とする請求項１２に記載のシステムにおける設定値セット方法。
【請求項１５】
前記認知段階は、
前記スケジューリングコンテクスト内の前記条件をモニタリングする段階と、
前記モニタリングにより前記実行条件のマッチングが取れた場合、前記装置管理命令を実行して前記再設定パラメータを認知する段階とを含むことを特徴とする請求項１４に記載のシステムにおける設定値セット方法。
【請求項１６】
端末の所定リソースに対する設定値を生成し、装置管理セッションを介して前記設定値及び再設定パラメータを前記端末に伝送し、前記端末に前記設定値を設定するように要求するサーバと、
前記設定値及び再設定パラメータを受信し、前記再設定パラメータによって前記設定値を前記リソースにセットし、前記設定値に応じて動作する端末と
を含むことを特徴とする装置管理システム。
【請求項１７】
前記端末は、端末のリソースを装置管理ツリー形態で前記サーバに提供し、
前記サーバは、前記装置管理ツリーにより前記所定リソースを認知し、前記設定値を生成することを特徴とする請求項１６に記載の装置管理システム。
【請求項１８】
前記端末は、
前記設定値及び再設定パラメータを受信するモジュールと、
前記再設定パラメータを認知するように命令を実行するモジュールと、
前記再設定パラメータの認知に応じて前記設定値をセットし、機能を行うモジュールとを含むことを特徴とする請求項１６に記載の装置管理システム。
【請求項１９】
前記端末は、
前記設定値、前記再設定パラメータ、装置管理命令、及び前記装置管理命令の実行のための条件を含むスケジューリングコンテクストを受信してインストールするモジュールと、
前記スケジューリングコンテクスト内の前記条件をモニタリングするモジュールと、
前記モニタリングにより前記実行条件のマッチングが取れた場合、前記再設定パラメータの認知のための前記装置管理命令を実行するモジュールと、
前記再設定パラメータの認知に応じて前記設定値をセットし、機能を行うモジュールとから構成されることを特徴とする請求項１６に記載の装置管理システム。
【発明の詳細な説明】
【技術分野】
【０００１】
本発明は、装置管理システム及びそのシステムにおける設定値セット方法に関する。
【背景技術】
【０００２】
一般に、装置管理（Ｄｅｖｉｃｅ  Ｍａｎａｇｅｍｅｎｔ：以下、ＤＭという）技術は、クライアント（端末）のリソースをＤＭツリー上に存在するＤＭオブジェクトの形態でＤＭサーバに表示し、前記ＤＭサーバが前記リソースにアクセスできるようにする。従って、前記ＤＭサーバは、前記端末を容易に管理できる。
【０００３】
このようなＤＭ技術において、前記ＤＭサーバは、ＤＭオブジェクトクライアントにＤＭ命令を実行することを指示し、前記ＤＭオブジェクトクライアントは、該当命令を直ちに実行した後、その実行結果を報告する。また、前記ＤＭサーバは、ＤＭオブジェクトクライアントに特定機能の変更／更新／削除を要求できる。
【０００４】
しかし、このようなＤＭ技術において、前記ＤＭサーバにより端末に存在するＤＭツリー及びＤＭオブジェクトがＤＭセッションで遠隔で変更されると、前記変更された内容が直ちに前記端末にセット及び適用されないという問題がある。例えば、前記端末が再起動すると又は特定機能の実行を要求すると、前記変更された内容はセットされて前記端末に適用される。
【０００５】
前述したように、従来のＤＭ技術においては、前記変更された内容が前記端末にセット及び適用される時点が前記端末の実現に左右され、信頼性のある適用を保障できないという問題があった。
【発明の開示】
【発明が解決しようとする課題】
【０００６】
従って、本発明の目的は、前述したような問題を解決するために、サーバが適時に設定値を端末にセットできるようにした装置管理システム及び端末における設定値セット方法を提供することにある。
【課題を解決するための手段】
【０００７】
このような目的を達成するために、本発明は、端末の所定リソースに対する設定値を生成し、ＤＭセッションで前記設定値及び再設定パラメータを前記端末に伝送し、前記端末に前記設定値のセットを要求するサーバと、前記設定値及び再設定パラメータを受信し、前記再設定パラメータによって前記設定値を前記リソースにセットし、前記設定値に応じて動作する端末とを含むことを特徴とするＤＭシステムを提供する。
【０００８】
好ましくは、前記端末は、前記設定値及び再設定パラメータを受信するモジュールと、前記再設定パラメータを認知するように命令を実行するモジュールと、前記再設定パラメータの認知に応じて前記設定値をセットし、機能を行うモジュールとから構成される。
【０００９】
好ましくは、前記サーバは、ＤＭ命令を前記端末にさらに伝送する。ここで、前記ＤＭ命令は、前記設定値のセットのためのＡＤＤ、ＤＥＬＥＴＥ、及びＲＥＰＬＡＣＥ命令のうち１つであるか、又は前記端末が前記再設定パラメータを認知できるようにするためのＥＸＥＣ命令である。
【００１０】
好ましくは、前記ＤＭ命令は、前記設定値、前記再設定パラメータ、及び前記ＤＭ命令の実行のための条件とともにスケジューリングコンテクスト内に含まれ、前記スケジューリングコンテクストは前記端末に伝送される。
【００１１】
前記スケジューリングコンテクストが伝送される場合、前記端末は、前記スケジューリングコンテクストを受信してインストールするモジュールと、前記スケジューリングコンテクスト内の前記実行条件をモニタリングするモジュールと、前記モニタリングにより前記実行条件を満たしている場合、前記再設定パラメータの認知のために前記ＤＭ命令を実行するモジュールと、前記再設定パラメータの認知に応じて前記設定値をセットし、機能を行うモジュールとから構成される。
【００１２】
さらに、端末は、所定リソースに対する設定値及び再設定パラメータをサーバから受信する第１モジュールと、前記再設定パラメータの認知のためにＤＭ命令を実行する第２モジュールと、前記再設定パラメータの認知に応じて前記設定値をセットし、機能を行う第３モジュールとから構成される。
【００１３】
前記端末の詳細な事項は、前述したとおりである。
【００１４】
本発明によれば、前記端末がＤＭサーバから設定値を受信すると、前記端末は直ちに前記設定値を利用することができる。その結果、前記端末の前記機能は時間又は環境により最適に管理できる。
【００１５】
本発明の他の目的、特徴、態様、及び利点は、添付図面及び以下の詳細な説明から明白になる。
【発明を実施するための最良の形態】
【００１６】
以下、本発明の実施形態を、添付図面を参照して詳細に説明する。
【００１７】
図１は、本発明によるＤＭシステムの構成図であり、図２は、図１のＤＭツリーを示す図である。
【００１８】
図１に示すように、前記ＤＭシステムは、ＤＭサーバ１００と端末２００とから構成される。まず、前記ＤＭサーバ１００について説明する。
【００１９】
前記ＤＭサーバ１００は、前記端末２００の所定リソースに対する設定値を生成し、前記設定値を再設定パラメータとともに前記端末２００に伝送することにより、前記端末２００に前記設定値をセットして前記設定値に応じて動作することを要求する。ここで、前記ＤＭサーバ１００は、前記端末２００のリソースをＤＭツリー２５０の形態で前記端末２００から受信し、前記ＤＭツリー２５０により前記リソースを認知し、前記設定値を生成し、前記設定値を前記端末２００に伝送することにより、前記設定値が前記ＤＭツリー２５０にセットされるようにする。前記再設定パラメータは、前記端末２００が端末のリソースに前記設定値をセットし、前記設定値に応じて動作できるようにするインジケータの役割を果たす。
【００２０】
前記設定値及び前記再設定パラメータを伝送するとき、前記ＤＭサーバ１００は、ＤＭ命令を追加して伝送できる。又は、前記ＤＭサーバ１００は、前記ＤＭ命令とともに、前記ＤＭ命令の実行のための条件を追加して伝送できる。ここで、理解を容易にするために、前記ＤＭ命令を例示的に列挙する。
【００２１】
−  ＧＥＴ：ＤＭツリー上のＤＭオブジェクトの値を読み出す。
【００２２】
−  ＡＤＤ：ＤＭツリー上にＤＭオブジェクトを生成する。
【００２３】
−  ＲＥＰＬＡＣＥ：ＤＭツリー上のＤＭオブジェクトの既存設定値を変更し、前記ＤＭオブジェクトに接続されたリソースの設定値を変更する。
【００２４】
−  ＤＥＬＥＴＥ：ＤＭツリー上のＤＭオブジェクトを削除し、前記ＤＭオブジェクトに接続されたリソースを削除する。
【００２５】
−  ＡＵＴＯＭＡＴＩＣ：いくつかの前記ＤＭ命令をグループ化し、端末が１つのグループのＤＭ命令を処理するように又は処理しないようにする。すなわち、ＡＵＴＯＭＡＴＩＣでグループ化されたいずれかのＤＭ命令が実行できない場合、他のＤＭ命令も実行できなくなる。
【００２６】
−  ＵＩ  ＡＬＥＲＴ：主に他のＤＭ命令とともに使用される。ユーザがＤＭ命令実行を許可又は拒否すると、ユーザの選択をＤＭサーバに通知する。
【００２７】
−  ＧＥＮＥＲＩＣ  ＡＬＥＲＴ：端末が最初にＤＭセッションを要求する場合、主に端末で発生したイベントをＤＭサーバに通知するために使用される。
【００２８】
−  ＳＴＡＴＵＳ：ＤＭ命令の処理状態をＤＭサーバに通知する。
【００２９】
−  ＲＥＳＵＬＴ：ＧＥＴ命令の対象となるＤＭオブジェクトの値をＳＴＡＴＵＳ命令とともにＤＭサーバに伝送する。
【００３０】
前記ＤＭ命令のうち、ＡＤＤ、ＤＥＬＥＴＥ、及びＲＥＰＬＡＣＥ命令は、前記設定値を端末２００のＤＭツリー２５０上にセットするために利用でき、ＥＸＥＣ命令は、前記端末２００が前記再設定パラメータを認知し、前記セットされた前記設定値に応じて動作するようにするために利用できる。
【００３１】
前記条件は、前記端末２００の特定リソースの値が所定閾値（閾値ベース）もしくは所定時点に到達する（時間ベース）と、又は前記端末２００で特定トラップイベント（Ｔｒａｐ  ｅｖｅｎｔ）が発生すると、前記端末２００が前記ＤＭ命令を実行するようにする。前記ＤＭサーバ１００が前記端末２００で実行されるべきＤＭ命令を前記端末２００に予め提供し、前記端末２００が前記ＤＭ命令を所定条件で実行するため、前記端末２００が前記ＤＭ命令を前記ＤＭサーバ１００に要求する度に、前記端末２００は、前記ＤＭサーバ１００が直ちに前記ＤＭ命令を提供したかのように認知する。
【００３２】
前記ＤＭサーバ１００は、前記ＤＭ命令、前記条件、前記設定値、及び前記再設定パラメータを前記端末２００に伝送するとき、スケジューリングコンテクストにそれらアイテムを含めて前記スケジューリングコンテクストを伝送することができる。前記スケジューリングコンテクストは、前記ＤＭ命令、前記条件などの２つ以上を伝送するときに有用である。特に、前記スケジューリングコンテクストは、２つ以上のＤＭ命令を有機的に連結して前記端末２００で実行させるときに非常に有用である。前記端末２００は、２つ以上の条件を有機的に結合することにより体系的に管理できる。
【００３３】
一方、前記ＤＭサーバ１００は、ＯＭＡ  ＤＭ規格に準拠してＤＭセッションを前記端末２００と確立し、前記確立されたＤＭセッションを介して前記スケジューリングコンテクストを前記端末２００にＤＭツリー形態でインストールする。
【００３４】
必要に応じて、前記ＤＭサーバ１００は、前記端末２００にインストールされた前記スケジューリングコンテクストを修正でき、前記端末２００に前記スケジューリングコンテクストを修正するように要求できる。さらに、前記ＤＭサーバ１００は、前記インストールされたスケジューリングコンテクストを前記端末２００から削除できる。
【００３５】
図１を参照すると、前記端末２００は、受信／インストールモジュール２１０、条件マッチング確認モジュール２２０、ＤＭ命令実行モジュール２３０、機能実行モジュール２４０、及びＤＭツリー２５０から構成される。
【００３６】
前記受信／インストールモジュール２１０は、前記ＤＭサーバ１００からＤＭセッションを介して前記設定値及び前記再設定パラメータを受信する。ここで、前記設定値及び前記再設定パラメータは、図２に示すようなＤＭツリー２５０にセット及び保存できる。図２は、第１設定値、第２設定値、第３設定値、及び再設定パラメータであるＲｅｃｏｎｆｉｇを含むＤＭツリーの一部を示す。前記第１〜第３設定値は、前記端末２００の所定リソースに対する設定値である。前記端末２００の機能実行モジュール２４０は、前記設定値に応じて動作できる。
【００３７】
前述したように、前記受信／インストールモジュール２１０は、前記ＤＭ命令及び／又は前記ＤＭ命令の実行のための条件をさらに受信できる。又は、前記受信／インストールモジュール２１０は、前記設定値、前記再設定パラメータ、前記ＤＭ命令、及び前記条件を含むスケジューリングコンテクストを受信できる。ここで、前記受信／インストールモジュール２１０は、前記スケジューリングコンテクストをインストールできる。前記前記スケジューリングコンテクストのインストールは、前記スケジューリングコンテクストを前記端末２００にＤＭツリー形態で保存することを意味する。必要に応じて、前記受信／インストールモジュール２１０は、前記スケジューリングコンテクストをインストールする前に、ユーザを確認することもでき、前記スケジューリングコンテクストの有効性を検証することもできる。
【００３８】
前記条件マッチング確認モジュール２２０は、前記ＤＭサーバ１００から前記スケジューリングコンテクストを受信した場合、前記スケジューリングコンテクスト内の条件を確認し、前記条件を満たしているか否かを持続的にチェックする。ここで、前記条件を満たしているか否かは、前記端末２００の特定リソースの値が所定閾値（閾値ベース）もしくは所定時点に到達しているか（時間ベース）、又は、前記端末２００で特定トラップイベントが発生するか否かによって判断できる。前記端末２００が前記ＤＭサーバ１００から前記スケジューリングコンテクストを受信しない場合、前記条件マッチング確認モジュール２２０は動作しない。
【００３９】
前記ＤＭ命令実行モジュール２３０は、前記設定値のセット及び反映のためにＤＭ命令を実行する。前記端末２００が前記スケジューリングコンテクストを受信した場合、前記条件マッチング確認モジュール２２０が前記条件のマッチングを取ると、前記ＤＭ命令実行モジュール２３０は、前記スケジューリングコンテクスト内のＤＭ命令を実行する。
【００４０】
前記ＤＭ命令は、前記設定値を前記端末２００にセットするためのＡＤＤ、ＤＥＬＥＴＥ、及びＲＥＰＬＡＣＥ命令の少なくとも１つである。具体的には、前記ＤＭ命令実行モジュール２３０が前記ＡＤＤ命令を実行すると、例えば、図２に示す第１設定値、第２設定値、及び第３設定値を前記端末２００のリソースに新しくセットできる。前記ＤＭ命令実行モジュール２３０が前記ＤＥＬＥＴＥ命令を実行すると、前記端末２００のリソースにセットされた設定値を除去できる。前記ＤＭ命令実行モジュール２３０が前記ＲＥＰＬＡＣＥ命令を実行すると、前記端末２００のリソースにセットされていた前記設定値を、例えば、図２に示す第１〜第３設定値に切り替えることができる。一方、前記前記ＤＭ命令は、前記再設定パラメータの認知のためのＥＸＥＣ命令でもよい。具体的には、前記ＤＭ命令実行モジュール２３０が前記ＥＸＥＣ命令を実行すると、前記機能実行モジュール２４０は、図２に示すＲｅｃｏｎｆｉｇのような再設定パラメータを認知し、後述するように前記ＤＭツリー２５０から前記第１〜第３設定値をロードし、前記ＤＭツリー２５０に前記第１〜第３設定値をセットする。
【００４１】
前記機能実行モジュール２４０は、前記端末２００の多様な機能を行う。例えば、アプリケーションソフトウェア又はハードウェアの駆動のためのソフトウェア（ドライバ）を動作するためのマイクロプロセッサでもよい。前記機能実行モジュール２４０は、前記ＤＭ命令の実行により前記再設定パラメータを認知すると、前記設定値を前記ＤＭツリー２５０にセットし、前記設定値に応じて多様な機能を行う。
【００４２】
本発明によると、前述したようなＤＭシステムにおいて、前記端末２００は、受信／インストールモジュール２１０と、条件マッチング確認モジュール２２０と、ＤＭ命令実行モジュール２３０と、機能実行モジュール２４０とから構成される。しかしながら、前記端末２００は、プロセッサ（図示せず）と、ネットワークインターフェース（図示せず）と、保存装置（図示せず）との組み合わせで構成することもできる。前記ＤＭサーバ１００も同様に構成できる。
【００４３】
図３は、本発明の第１実施形態による設定値のセット方法を示すフローチャートである。図３を参照して、前記設定値のセット方法を順に説明する。
【００４４】
１）前記サーバ１００は、前記端末２００にセットされる設定値を生成する。
【００４５】
２）前記設定値を生成した後、前記サーバ１００は、前記端末２００とＤＭセッションを接続し、ＤＭプロトコルを利用して前記設定値及び再設定パラメータを前記端末２００に伝送する。
【００４６】
３）前記端末２００が前記設定値及び再設定パラメータを受信すると、前記端末２００の受信／インストールモジュール２１０は、前記設定値のセットのための要求を前記ＤＭ命令実行モジュール２３０に伝送する。
【００４７】
４）前記要求を受信した前記ＤＭ命令実行モジュール２３０は、ＤＭ命令を実行する。前記ＤＭ命令は、ＡＤＤ、ＲＥＰＬＡＣＥ、及びＤＥＬＥＴＥ命令の１つでもよい。
【００４８】
５）前記設定値が前記ＤＭツリー２５０上にセットされる。
【００４９】
６）前記ＤＭ命令実行モジュール２３０は、前記再設定パラメータの認知のためのＤＭ命令を実行する。前述したように、前記ＤＭ命令は、ＥＸＥＣ命令でもよい。
【００５０】
７）前記ＤＭ命令の実行に応じて、前記機能実行モジュール２４０は、前記ＤＭツリー２５０上の設定値をロードする。
【００５１】
８）前記機能実行モジュール２４０は、前記ＤＭツリーに前記ロードされた設定値をセットし、前記設定値に応じて多様な機能を行う。
【００５２】
図４は、本発明の第２実施形態による設定値のセット方法を示すフローチャートである。図４を参照して、前記設定値のセット方法を順に説明する。
【００５３】
１）前記サーバ１００は、ＤＭスケジューリングコンテクストを生成する。
【００５４】
２）前記サーバ１００は、前記端末２００とＤＭセッションを接続し、ＤＭプロトコルを利用して前記ＤＭスケジューリングコンテクストを前記端末２００に伝送する。
【００５５】
３）前記端末２００の受信／インストールモジュール２１０は、前記ＤＭスケジューリングコンテクストを前記端末２００のＤＭツリー２５０内にインストールする。
【００５６】
４）前記端末２００の条件マッチング確認モジュール２２０は、前記設定値のセットのために前記スケジューリングコンテクストがインストールされたＤＭツリー２５０内の条件を確認してモニタリングする。
【００５７】
５）前記条件マッチング確認モジュール２２０は、前記条件を満たしていることが確認されると、ＤＭ命令の実行要求を前記ＤＭ命令実行モジュール２３０に伝送する。
【００５８】
６）前記要求に応じて、前記ＤＭ命令実行モジュール２３０は、前記スケジューリングコンテクストがインストールされたＤＭツリー２５０内のＤＭ命令をロードし、前記ＤＭ命令を実行する。前述したように、前記ＤＭ命令は、ＡＤＤ、ＲＥＰＬＡＣＥ、又はＤＥＬＥＴＥの１つでもよい。
【００５９】
７）前記ＤＭ命令によって、前記設定値が前記ＤＭツリー２５０内にセットされる。
【００６０】
８）前記端末２００の条件マッチング確認モジュール２２０は、前記セットされた設定値のセットのために、前記スケジューリングコンテクストがインストールされたＤＭツリー２５０内の条件を確認してモニタリングする。
【００６１】
９）前記条件マッチング確認モジュール２２０は、前記条件を満たしていることが確認されると、ＤＭ命令の実行のための要求を前記ＤＭ命令実行モジュール２３０に伝送する。
【００６２】
１０）前記要求に応じて、前記ＤＭ命令実行モジュール２３０は、前記スケジューリングコンテクストがインストールされたＤＭツリー２５０内のＤＭ命令をロードし、前記ＤＭ命令を実行する。前述したように、前記ＤＭ命令は、ＥＸＥＣ命令でもよい。
【００６３】
１１）前記ＤＭ命令の実行に応じて、前記機能実行モジュール２４０は、前記ＤＭツリー２５０上の設定値をロードする。
【００６４】
１２）その後、前記機能実行モジュール２４０は、前記ロードされた設定値をセットし、多様な機能を行う。
【００６５】
図５は、本発明による設定値セット方法の応用例を示す図である。
【００６６】
図５に示すように、ウェブブラウザの応答速度が遅くなると、これは、本発明による設定値セット方法を用いてウェブブラウザ又はネットワークの設定を変更することにより解決できる。
【００６７】
図５のＤＭツリー２５０がウェブブラウザのための設定値として第１〜第３設定値を有すると仮定する。ここで、第１設定値は、前記ウェブブラウザのプロキシアドレスのための設定値であり、第２設定値は、ホームＵＲＬのための設定であり、第３設定値は、前記ネットワーク、すなわち、デフォルトとして３ＧＰＰネットワークのための設定値である。
【００６８】
ここで、前記ウェブブラウザの応答速度が遅くなる場合、ネットワークのための設定値である前記第３設定値を３ＧＰＰネットワークからＷＬＡＮネットワークに変更し、前記第３設定値の適用のためにＥＸＥＣ命令をスケジューリングするために、ＤＭサーバ１００がスケジューリングコンテクストを前記端末２００に伝送したと仮定する。前述したように、前記ＥＸＥＣ命令は、例えば、Ｒｅｃｏｎｆｉｇのような再設定パラメータを認知することにより、前記変更された第３設定値の適用を可能にする。
【００６９】
前記端末２００は、前記ユーザが前記ウェブブラウザの使用を要求すると、前記デフォルト設定値をロードし、３ＧＰＰネットワークでデータを送受信する。しかし、３ＧＰＰネットワークの信号が徐々に弱くなり、前記ウェブブラウザの応答速度が遅くなった場合、前記端末２００は、前記スケジューリングコンテクストによってＲＥＰＬＡＣＥのようなＤＭ命令を実行することにより、前記第３設定値をＷＬＡＮに変更する。その後、前記端末２００がＥＸＥＣ命令を実行することにより、前記ウェブブラウザはＲｅｃｏｎｆｉｇのような再設定パラメータを認知できる。その結果、前記ウェブブラウザは、前記再設定パラメータの認知に応じて、前記セットされた第３設定値に応じてネットワーク設定をＷＬＡＮに変更した後、ユーザのデータを継続して送受信する。
【００７０】
本発明の精神や基本的な特性から外れない限り多様な形態で本発明を実現することができ、前述した実施形態は前述した詳細な記載内容によって限定されるのではなく、添付された請求の範囲に定義された本発明の精神や範囲内で広く解釈されるべきであり、本発明の請求の範囲内で行われるあらゆる変更及び変形、並びに請求の範囲の均等物は本発明の請求の範囲に含まれる。
【図面の簡単な説明】
【００７１】
発明の理解を容易にするために添付され、本明細書の一部を構成する図面は、発明の多様な実施形態を示し、明細書と共に発明の原理を説明するためのものである。
【図１】本発明によるＤＭシステムの構成図である。
【図２】図１のＤＭツリーを示す図である。
【図３】本発明の第１実施形態による設定値のセット方法を示す図である。
【図４】本発明の第２実施形態による設定値のセット方法を示すフローチャートである。
【図５】本発明による設定値のセット方法の応用例を示す図である。
【図１】
2008541549.tif 000003
【図２】
2008541549.tif 000004
【図３】
2008541549.tif 000005
【図４】
2008541549.tif 000006
【図５】
2008541549.tif 000007
【国際調査報告】
2008541549.tif 000008
2008541549.tif 000009